(57)【特許請求の範囲】
【請求項１】
有底容器形状の容器本体（２）と、
前記容器本体（２）の下方に一体に固着され、内部が空洞で側面に内部と外部を連通する窓部（４１）が形成された本体下部（４）と、
一端が前記本体下部（４）に固定された弾性部材（５）と、
前記弾性部材（５）に支持されて前記本体下部（４）の内部に配置され、前記容器本体（２）の底面（３）を下側から打撃可能に前記底面（３）に向けて付勢されて設けられた打撃部（６）と、
前記本体下部（４）の外部に配置され、前記窓部（４１）を通して前記打撃部（６）を操作可能に設けられた操作部（７）とを有する発泡飲料用容器。
【請求項２】
有底容器形状の容器本体（２）と、
前記容器本体（２）の下方に一体に固着され、内部が空洞で側面に内部と外部を連通する窓部（４１）が形成された本体下部（４）と、
前記容器本体（２）に固定された取っ手（８）と一体的に設けられた弾性部材（５）と、
前記弾性部材（５）に支持されて前記本体下部（４）の内部に配置され、前記容器本体（２）の底面（３）を下側から打撃可能に前記底面（３）に向けて付勢されて設けられた打撃部（６）と、
前記本体下部（４）の外部に配置され、前記窓部（４１）を通して前記打撃部（６）を操作可能に設けられた操作部（７）とを有する発泡飲料用容器。
【請求項３】
請求項１に記載した発泡飲料用容器であって、
前記容器本体（２）は、透明材料により形成されたものである発泡飲料用容器。
【請求項４】
請求項１，２のいずれか１項に記載した発泡飲料用容器であって、
前記容器本体（２）は、金属材料により形成されたものである発泡飲料用容器。
【請求項５】
請求項４に記載した発泡飲料用容器であって、
前記容器本体（２）は、側壁が２層の金属材料により形成され、底面（３）が単層の金属材料により形成されたものである発泡飲料用容器。
【発明の詳細な説明】
【０００１】
【発明の属する技術分野】
この発明は、ビール等の発泡飲料を入れ、飲用に供するための発泡飲料用容器に関するものであり、さらに詳しくは、簡単な操作によりビールや発泡酒等の発泡飲料にきめ細かな泡を適量発生させて飲料上面を覆い、発泡飲料を最良の状態で飲用に供することのできる発泡飲料用容器に関するものである。
【０００２】
【従来の技術】
ビール等の飲料を入れ、飲用に供するための発泡飲料用容器としては、典型的にはビールジョッキがある。ビールジョッキは、ガラス製やステンレス等の金属製等の容器であり、一般的には、通常のグラスよりも大型で取っ手が付いている。このビールジョッキ等の容器に、ビール等の発泡飲料を注ぎ、適量の泡を発生させて飲料上面を覆った状態で飲用に供する。ビール等に適量の泡を発生させるのは、ビール等を注出するための装置（ビールサーバー）によって行うのが一般的であった。
【０００３】
【発明が解決しようとする課題】
従来のガラス製や金属製の発泡飲料用容器には、ビール等に泡を発生させる機能はなく、適量の泡を発生させるのはビールサーバーを操作することによって行っていた。しかし、ビール等に最適な状態の泡を適量発生させることは、ビールサーバーを使用したとしてもそれなりに熟練を要するものである。ましてや、ビールサーバーを使用しないで、ビンや缶から直接ビール容器にビール等を注いで最適状態でかつ適量の泡を発生させることは、非常に熟練を要することであった。このため、飲食店等においてもビール等を最良の発泡状態とすることは簡単ではなく、特に、一般家庭においては、ビール等を最良の発泡状態で飲用に供することは困難なことであった。
【０００４】
そこで、本発明は、簡単な操作によりビールや発泡酒等の発泡飲料にきめ細かな泡を適量発生させて飲料上面を覆い、発泡飲料を最良の状態で飲用に供することのできる発泡飲料用容器を提供することを目的とする。
【０００５】
【課題を解決するための手段】
上記目的を達成するために、本発明の発泡飲料用容器は、有底容器形状の容器本体と、前記容器本体の下方に一体に固着され、内部が空洞で側面に内部と外部を連通する窓部が形成された本体下部と、一端が前記本体下部に固定された弾性部材と、前記弾性部材に支持されて前記本体下部の内部に配置され、前記容器本体の底面を下側から打撃可能に前記底面に向けて付勢されて設けられた打撃部と、前記本体下部の外部に配置され、前記窓部を通して前記打撃部を操作可能に設けられた操作部とを有するものである。
また、本発明の発泡飲料用容器は、有底容器形状の容器本体と、前記容器本体の下方に一体に固着され、内部が空洞で側面に内部と外部を連通する窓部が形成された本体下部と、前記容器本体に固定された取っ手と一体的に設けられた弾性部材と、前記弾性部材に支持されて前記本体下部の内部に配置され、前記容器本体の底面を下側から打撃可能に前記底面に向けて付勢されて設けられた打撃部と、前記本体下部の外部に配置され、前記窓部を通して前記打撃部を操作可能に設けられた操作部とを有するものである。
【０００６】
また、上記の発泡飲料用容器において、前記容器本体は、透明材料により形成することができる。透明材料としては、ガラスや透明樹脂材料等を使用することができる。
【０００７】
また、上記の発泡飲料用容器において、前記容器本体は、金属材料により形成することができる。金属材料としてはステンレス等が使用できる。
【０００８】
また、上記の発泡飲料用容器において、前記容器本体は、側壁が２層の金属材料により形成され、底面が単層の金属材料により形成されたものであることが好ましい。
【００１０】
【発明の実施の形態】
本発明の実施の形態について図面を参照して説明する。ここでは発泡飲料としてビールを例にとって説明する。図１は、本発明の発泡飲料用の容器１の断面図である。容器１は、上方が開放された有底容器形状の容器本体２と、容器本体２の下方に固定された本体下部４を備えたものである。この容器１では、容器本体２は透明の樹脂材料で形成したものであり、本体下部４は不透明の樹脂材料で形成したものである。容器本体２と本体下部４とは、接着剤により一体に固着されている。
【００１１】
本体下部４の内部は空洞となるように形成されており、また、本体下部４の側面の一部には窓部４１が開口されている。容器本体２の底面３は、本体下部４の上部に位置しているので、底面３とテーブル等の載置面９との間には、本体下部４内部の空間部が介在している。本体下部４の内面には、弾性部材５の一端がビス４２によって固定されている。弾性部材５としては、薄板状のばね鋼等が使用できる。この弾性部材５の他端には、樹脂材料等により形成された打撃部６および操作部７が弾性部材５と一体的に固定されている。
【００１２】
打撃部６は、弾性部材５によって底面３側に付勢されて設けられている。したがって、通常は打撃部６が底面３の下面側に当接した状態である。また、操作部７は、本体下部４に開口した窓部４１から、外部に突出するように設けられている。窓部４１から突出した操作部７を指により押し下げて符号７ａに示す状態とし、続いて操作部７から指を離すことにより、打撃部６は弾性部材５の付勢力によって上方に運動し、所定の打撃強度で底面３の下面側を叩く。
【００１３】
容器１にビールを注いだ状態で、このように操作部７を操作して、打撃部６により底面３に打撃を加えると、底面３がこの打撃により振動して、底面３に接触するビールに微細な泡の核が発生する。この核がビール中を上昇して、さらなる微細な泡の発生を誘発する。なお、底面３の厚さは、容器本体２の側壁部分の厚さよりも肉薄に形成されている。これにより、底面３は、打撃部６からの打撃によって適度の振動を発生する。
【００１４】
容器１内のビールには、この振動により非常にきめの細かいクリーム状の泡が発生し、その泡が上方に移動してビール上面を覆うようになる。泡の発生量は打撃の強度によって決まり、打撃部６の打撃強度は弾性部材５の弾性定数および操作部７の押し下げ量によって決まる。したがって、泡の発生量が適量となるように窓部４１の上下方向の寸法を設定しておくことが望ましい。
【００１５】
また、ビールの温度等により、１回の打撃では泡の発生量が少なすぎる場合には、打撃を２回、３回と繰り返して行うことにより適量の泡を発生させることができる。また、操作部７の押し下げ量を調節することにより、泡の発生量を容易に調節することができる。さらに、この打撃による振動によって発生する泡は、非常にきめの細かいクリーム状の上質の泡となる。これにより、最良の状態の泡を適量発生させることが、誰にでも簡単に行える。そして、ビールを最良の状態で飲用に供することができる。
【００１６】
次に、本発明の他の形態の発泡飲料用容器の構成について説明する。図２は、本発明の第２の形態の容器１１の構成を示す断面図である。図１の容器と同一機能の部分については同一の符号を付している。容器１１は、上方が開放された有底容器形状の容器本体２と、下方の本体下部４を備えたものである。この形態の容器１１では、容器本体２はステンレス材の薄板により形成されている。ステンレス材は、熱伝導率が小さく断熱性に優れている。本体下部４は、不透明の樹脂材料で形成したものである。容器本体２と本体下部４とは、接着剤等により一体に固着されている。
【００１７】
容器本体２の側壁部分はステンレス材の２層構造となっており、２層のステンレス材の間に断熱層が設けられている。このため、側壁部分の断熱性が良好で、容器１１内のビールを長時間適温に保つことができる。なお、２層構造の側壁中間の断熱層部分は、大気圧の空間としてもよいが、ここに断熱材を充填するようにしてもよい。容器本体２の底面３は、ステンレス材の単層構造となっている。これは、底面３に発生した振動を効率よく容器１１内のビールに伝達するためである。
【００１８】
本体下部４の内部の構成は、図１のものとほぼ同様である。本体下部４の内部は空洞となるように形成されており、また、本体下部４の側面の一部には窓部４１が開口されている。本体下部４の内面には、弾性部材５の一端がビス４２によって固定されている。弾性部材５としては、薄板状のばね鋼等が使用できる。この弾性部材５の他端には、樹脂材料等により形成された打撃部６および操作部７が弾性部材５と一体的に固定されている。
【００１９】
打撃部６は、弾性部材５によって底面３側に付勢されて設けられている。したがって、通常は打撃部６が底面３の下面側に当接した状態である。また、操作部７は、本体下部４に開口した窓部４１から、外部に突出するように設けられている。図１の場合と同様に、窓部４１から突出した操作部７を指により押し下げて、続いて操作部７から指を離すことにより、打撃部６は弾性部材５の付勢力によって上方に運動し、所定の打撃強度で底面３の下面側を叩く。
【００２０】
この容器１１でも、図１の容器１と同様に、打撃部６によって底面３に振動を発生させることにより、容器１１内のビールに非常にきめの細かいクリーム状の泡を適量発生させることが、誰にでも簡単に行える。そして、ビールを最良の状態で飲用に供することができる。
【００２１】
図３は、本発明の第３の形態の容器１２の構成を示す断面図である。図１および図２の容器と同一機能の部分については同一の符号を付している。容器１２は、上方が開放された有底容器形状の容器本体２と、下方の本体下部４を備えたものである。容器本体２および本体下部４はそれぞれステンレス材の薄板により形成されており、容器１２はその容器本体２および本体下部４を溶接等によって一体に接合したものである。また、取っ手８が容器本体２に固定されている。
【００２２】
図２の容器１１と同様に、この容器１２でも、容器本体２の側壁部分はステンレス材の２層構造となっており、容器本体２の底面３はステンレス材の単層構造となっている。これにより、側壁部分の断熱性が良好となり、また、底面３に発生した振動を効率よく容器１１内のビールに伝達することができる。
【００２３】
本体下部４の内部は空洞となるように形成されており、また、本体下部４の側面の一部には窓部が開口されている。取っ手８の下部は図示のように屈曲されて、弾性部材５として本体下部４の内部に延びている。その弾性部材５の本体下部４内部の先端部は、折り曲げられて打撃部６として形成されている。すなわち、この実施の形態では、弾性部材５が取っ手８の下部と接続して一体的に設けられている。そして、この弾性部材５には操作部７も形成されている。
【００２４】
打撃部６は、弾性部材５の付勢力によって底面３側に付勢され当接された状態となっている。操作部７を指により矢印Ａで示すように移動させ、続いて操作部７から指を離すことにより、打撃部６は弾性部材５の付勢力によって矢印Ｂで示すように運動し、所定の打撃強度で底面３の下面側を叩く。
【００２５】
この容器１２でも、図１および図２の容器と同様に、打撃部６によって底面３に振動を発生させることにより、容器１２内のビールに非常にきめの細かいクリーム状の泡を適量発生させることが、誰にでも簡単に行える。そして、ビールを最良の状態で飲用に供することができる。
【００２６】
図４は、本発明の第４の形態の容器１３の構成を示す断面図である。この容器１３は、図３の容器１２とほぼ同様の構成であり、容器１２と同一機能の部分については同一の符号を付している。容器１３では、弾性部材５、打撃部６および操作部７の構造が図３の容器１２とは異なっている。すなわち、取っ手８の下部に接続して、図示のように弾性部材５、打撃部６および操作部７が形成されている。
【００２７】
打撃部６は、弾性部材５の付勢力によって底面３側に付勢され当接された状態となっている。操作部７を指により矢印Ａで示すように移動させ、続いて操作部７から指を離すことにより、打撃部６は弾性部材５の付勢力によって矢印Ｂで示すように運動し、所定の打撃強度で底面３の下面側を叩く。
【００２８】
この容器１３でも、図１から図３の容器と同様に、打撃部６によって底面３に振動を発生させることにより、容器１３内のビールに非常にきめの細かいクリーム状の泡を適量発生させることが、誰にでも簡単に行える。そして、ビールを最良の状態で飲用に供することができる。
【００２９】
なお、以上の実施の形態では、発泡飲料としてビールを例に挙げたが、発泡酒等のそれ以外の発泡飲料に対しても同様の効果を奏する。また、容器本体を樹脂材料またはステンレス材で形成したものについて説明したが、他の適宜の材料によって形成したものでもよい。すなわち、樹脂材料に換えてガラス等を使用してもよく、ステンレス材に換えて他の金属材料を使用してもよい。さらに、容器本体の側壁部分をガラスや樹脂材料で形成し、底面部分をステンレス材で形成する等、異種材料を組み合わせて構成してもよい。また、本発明の発泡飲料用容器は、ジョッキ、グラス、タンブラー、コップ、マグ、カップなどの容器を含むものである。
【００３０】
【発明の効果】
本発明は、以上に説明したように構成されているので、以下のような効果を奏する。
【００３１】
容器本体の底面を下側から打撃可能な打撃部を設けたので、操作部によって打撃部を操作して底面に振動を発生させることにより、容器内のビールに非常にきめの細かいクリーム状の泡を適量発生させることができる。また、この泡の発生は操作が簡単で誰にでも行うことができる。そして、ビール等の発泡飲料を最良の状態で飲用に供することができる。
【００３２】
容器本体が透明材料により形成されたものでは、底面が打撃部からの打撃により適度の振動を発生し、容器内の発泡飲料に最良の発泡を行わせることができる。また、発泡飲料の発泡状態を側面から確認することができる。
【００３３】
容器本体が金属材料により形成されたものでは、耐衝撃性が優れており、落としても割れることがない。さらに、ステンレス材により形成されたものでは、ステンレス材の熱伝導率が小さく断熱性に優れている。
【００３４】
容器本体の側壁を２層構造としたので、容器の断熱性を向上させることができ、容器内のビールを長時間適温に保つことができる。また、底面を単層の金属材料により形成したので、底面に発生した振動を効率よく容器内の発泡飲料に伝達して最良の発泡を行わせることができる。
【図面の簡単な説明】
【図１】図１は、本発明の発泡飲料用容器の断面図である。
【図２】図２は、第２の形態の発泡飲料用容器の断面図である。
【図３】図３は、第３の形態の発泡飲料用容器の断面図である。
【図４】図４は、第４の形態の発泡飲料用容器の断面図である。
【符号の説明】
１，１１，１２，１３…容器
２…容器本体
３…底面
４…本体下部
５…弾性部材
６…打撃部
７…操作部
８…取っ手
９…載置面
４１…窓部
４２…ビス
【図１】
0004227758.tif 000002
【図２】
0004227758.tif 000003
【図３】
0004227758.tif 000004
【図４】
0004227758.tif 000005